(57)【要約】【課題】既存の中継用ドレン装置のストレーナを交換するための中継用ドレンの交換装置を提供する。【解決手段】縦樋管９の下端部９ｂに外嵌固定される嵌合筒部２２と、交換用ストレーナ６内に挿入される挿入筒部２３と、該交換用ストレーナ６の上部開口の口縁に乗載される鍔部２４とを備えてなる筒状介装体２１を、該交換用ストレーナ６の上部開口の口縁に前記鍔部２４を乗載した状態で、係合部材４１によって該交換用ストレーナ６と筒状介装体２１とを係合させてなるものである。こうした交換用ストレーナ６、筒状介装体２１、および係合部材４１とを備えた交換装置１によれば、既存の中継用ドレンのストレーナを交換する交換作業を比較的容易に行うことができる。【選択図】図１
0003230958.tif 000002
【実用新案登録請求の範囲】
【請求項１】
下方に突成された排水管部を床に挿通させて、該床に付設されるドレン受皿と、該ドレン受皿上に配設されるストレーナとを備える中継用ドレンを、各階の床に夫々配設すると共に、縦樋管を、上端を上階のドレン受皿の排水管部に嵌装させ且つ下端を下階のドレン受皿上に臨ませて各階の中継用ドレン間に差し渡す中継用ドレン装置における、前記ストレーナの交換に用いられるものであって、
前記ドレン受皿上に載置される交換用のストレーナと、
前記縦樋管の下端部に外嵌されて固定される嵌合筒部と、
該嵌合筒部から下方に延成され、前記交換用ストレーナの上部開口を介して当該ストレーナ内部に挿入される挿入筒部と、
嵌合筒部または挿入筒部の外周面から外方に突成され、前記交換用ストレーナの上部開口の口縁に乗載される円環状の鍔部と
を備え、左右に分割形成されて、前記縦樋管の下端部を左右両側から挟んで組み付けられる筒状介装体と、
前記交換用ストレーナの上部開口の口縁に乗載された鍔部に係止されるフック部と、
該フック部から下方へ延成され、螺子により該交換用ストレーナに締結される固定片部と
を備え、該螺子の締結により、前記筒状介装体の挿入筒部が排水管部の直上に位置決めされて、該筒状介装体と交換用ストレーナとを係合させる係合部材と
を備えてなるものであることを特徴とする中継用ドレンの交換装置。
【考案の詳細な説明】
【技術分野】
【０００１】
本考案は、各階の床に付設される中継用ドレン間に縦樋管を差し渡して配設させる中継用ドレン装置を対象として、ストレーナの交換に用いられる中継用ドレンの交換装置に関する。
【背景技術】
【０００２】
一般に、多階層住宅などの建物に設置される中継用ドレン装置は、図１１に示すように、各階のバルコニーやベランダの床Ｆに挿通される排水管部ｃが下方に突成されたドレン受皿ｂ上に、外周に通水孔ｄを多数形成したストレーナｅを乗載してなる中継用ドレンａを、各階の床Ｆに上下で一致する位置に配設すると共に、縦樋管ｆを、上端を上階の排水管部ｃに嵌装し且つ下端を下階のドレン受皿ｂ上に臨ませて各階の中継用ドレン間に差し渡す構成である。そして、各階において床Ｆ上の雨水をストレーナｅから当該階のドレン受皿ｂ内に流入させて排水管部ｃを介して縦樋管ｆへ排水させると共に、上階の中継用ドレンａから縦樋管ｆを通って流下する雨水を下階の中継用ドレンａを介して、次の縦樋管ｆへ排水させる。
【０００３】
こうした中継用ドレン装置として、例えば特許文献１の構成が提案されている。かかる従来構成は、縦樋管ｆの下端部がストレーナｅ内に挿入された状態で、該ストレーナｅに形成された螺子孔ｇに螺子ｈを螺合して、該螺子ｈの先端を縦樋管ｆの下端部に当接させることにより、縦樋管ｆとストレーナｅとを連結するものである。このように縦樋管ｆとストレーナｅとを連結させることにより、縦樋管ｆの下端開口を、排水管部ｃの直上で上下方向に一致させて位置決めできることから、縦樋管ｆを流下した雨水を排水管部ｃへスムーズに流すことができる。
【先行技術文献】
【特許文献】
【０００４】
【特許文献１】特開２００２−３０９７３０号公報
【考案の概要】
【考案が解決しようとする課題】
【０００５】
ところで、前記した中継用ドレン装置は、屋外における長年の使用によりストレーナに腐食や破損が生ずることから、ストレーナの交換を含む改修を行うことが必要となる。しかしながら、従来構成では、ストレーナを交換する改修を行うことが難しかった。
詳述すると、前述した特許文献１の従来構成では、縦樋管ｆが、その下端部をストレーナｅ内に挿入した状態で上下階の中継用ドレンａ間に差し渡されていることから、該ストレーナｅのみを取り外すことが難しく、該ストレーナｅを取り外す作業に手間がかかる。そのため、この改修時には、古いストレーナｅを取り外すために、該縦樋管ｆの下端部を切断することが必要となっていた。しかしながら、このように縦樋管ｆの下端部を切断すると、該縦樋管ｆが短くなるため、同じ形態のストレーナｅを取り付けることができないという問題があった。
【０００６】
本考案は、前述した従来構成の問題を解決し得るものであって、長年の使用によりストレーナに腐食や破損等が生じた場合に、該ストレーナを比較的容易に交換し得る中継用ドレンの交換装置を提案するものである。
【課題を解決するための手段】
【０００７】
本考案は、下方に突成された排水管部を床に挿通させて、該床に付設されるドレン受皿と、該ドレン受皿上に配設されるストレーナとを備える中継用ドレンを、各階の床に夫々配設すると共に、縦樋管を、上端を上階のドレン受皿の排水管部に嵌装させ且つ下端を下階のドレン受皿上に臨ませて各階の中継用ドレン間に差し渡す中継用ドレン装置における、前記ストレーナの交換に用いられるものであって、前記ドレン受皿上に載置される交換用のストレーナと、前記縦樋管の下端部に外嵌されて固定される嵌合筒部と、該嵌合筒部から下方に延成され、前記交換用ストレーナの上部開口を介して当該ストレーナ内部に挿入される挿入筒部と、嵌合筒部または挿入筒部の外周面から外方に突成され、前記交換用ストレーナの上部開口の口縁に乗載される円環状の鍔部とを備え、左右に分割形成されて、前記縦樋管の下端部を左右両側から挟んで組み付けられる筒状介装体と、前記交換用ストレーナの上部開口の口縁に乗載された鍔部に係止されるフック部と、該フック部から下方へ延成され、螺子により該交換用ストレーナに締結される固定片部とを備え、該螺子の締結により、前記筒状介装体の挿入筒部が排水管部の直上に位置決めされて、該筒状介装体と交換用ストレーナとを係合させる係合部材とを備えてなるものであることを特徴とする中継用ドレンの交換装置である。
【０００８】
かかる構成にあっては、建物等に付設された中継用ドレン装置を対象として、該中継用ドレン装置を構成するストレーナの交換に用いられるものであり、長年の使用で腐食や破損等を生じたストレーナを交換することによって、中継用ドレンの改修を行うことができる。本構成の交換装置によれば、前述した従来構成の中継用ドレン装置に対しても、ストレーナを交換する改修作業を行うことができる。すなわち、従来構成の中継用ドレン装置は、前述したように、ストレーナのみを縦樋管から取り外すことに手間がかかるため、該ストレーナの直上部位で縦樋管の下端部を切断して、該ストレーナを取り除く。その後、本構成の筒状介装体を、切断後の縦樋管の下端部に外嵌して固定すると共に、当該筒状介装体の挿入筒部を、ドレン受皿上に載置した本構成の交換用ストレーナ内に挿入させて、当該筒状介装体の鍔部を当該ストレーナの上部開口の口縁に乗載させる。この後、係合部材によって、縦樋管の下端部に固定された筒状介装体と交換用ストレーナとを係合させる。これにより、前記交換用ストレーナが、筒状介装体を介して縦樋管の下端部に装着された状態で、ドレン受皿上に載置される。このように本考案の構成によれば、既存の中継用ドレン装置のストレーナを交換する作業を容易かつ効率的に行うことができ、該交換作業（前記の改修作業）の作業効率を著しく向上することができる。
【０００９】
尚、本構成によれば、前述した従来構成の中継用ドレン装置に限らず、縦樋管を、上端を上階のドレン受皿の排水管部に嵌装させ且つ下端を下階のドレン受皿上に臨ませて各階の中継用ドレン間に差し渡す中継用ドレン装置に対して、ストレーナの交換を同様に行うことができる。
【考案の効果】
【００１０】
本考案の中継用ドレンの交換装置は、前述したように、腐食や破損等を生じたストレーナを交換する作業を容易に行うことができ、該交換作業の作業効率を著しく向上できる。
【図面の簡単な説明】
【００１１】
【図１】本考案にかかる交換装置１が配設された中継用ドレン装置の施工状態を示す縦断面図である。
【図２】交換装置１を構成する筒状介装体２１と交換用ストレーナ６とが連結された状態を示す正面図である。
【図３】筒状介装体２１と交換用ストレーナ６とが連結された状態を示す平面図である。
【図４】筒状介装体２１を左右に分割した状態の、（Ａ）平面図と、（Ｂ）側面図である。
【図５】筒状介装体２１と交換用ストレーナ６とを分離した状態を示す斜視図である。
【図６】（Ａ）係合部材４１を一方から見た斜視図と、（Ｂ）他方から見た斜視図である。
【図７】交換装置１による交換作業の作業工程を示す説明図１である。
【図８】図７から続く作業工程を示す説明図２である。
【図９】図８から続く作業工程を示す説明図３である。
【図１０】図９から続く作業工程を示す説明図４である。
【図１１】従来構成の中継用ドレン装置の施工状態を示す縦断面図である。
【考案を実施するための形態】
【００１２】
本考案にかかる実施例を添付図面を用いて説明する。
図１に、本考案の交換装置１が取り付けられた中継用ドレン装置の施工状態を示す。多階層住宅などの建物の各階のバルコニー等の床Ｆには、下方に排水管部４が連成されたドレン受皿３が、該排水管部４を床Ｆに挿通させた状態で各床Ｆ毎に上下で一致する位置に付設されている。このドレン受皿３上には、截頭円錐筒状の交換用ストレーナ６が乗載される。こうしたドレン受皿とストレーナとにより、中継用ドレン２が構成されている。
【００１３】
前記上下階の中継用ドレン２には、長尺円筒状の縦樋管９が垂直に差し渡されている。図１に示すように、縦樋管９は、その上端部９ａが上階のドレン受皿３の排水管部４に嵌装され、下端部９ｂが筒状介装体２１を介して下階の交換用ストレーナ６に連結されている。ここで、縦樋管９は、その下端部９ｂが前記交換用ストレーナ６内に嵌挿されることなく、該交換用ストレーナ６の上端との間に適宜の隙間が生ずる長さに設定されている。また、筒状介装体２１と交換用ストレーナ６とは、後述する係合部材４１によって連結される。
【００１４】
次に、本考案の交換装置１について説明する。交換装置１は、前記した筒状介装体２１、交換用ストレーナ６、および係合部材４１により構成されている。尚、この交換装置１が、本考案にかかる中継用ドレンの交換装置に相当する。
【００１５】
交換用ストレーナ６は、図２，６に示すように、上下方向に開口されると共に、側周面に複数の矩形状通水孔１１が周方向に並んで開口形成されており、下部開口１４（図９参照）の口縁に、ドレン受皿３の上面に乗載される円環状の下端鍔縁部１２を備えてなる。そして、上部開口１５の口縁部１６には、後述するように、筒状介装体２１の鍔部２４が乗載される。
【００１６】
筒状介装体２１は、図１に示すように、円筒状の嵌合筒部２２と、該嵌合筒部２２から下方へ延成された漏斗状の挿入筒部２３と、挿入筒部２３の外周面の上端部に周設けられた円環状の鍔部２４とを備えたものであり、中心軸線に沿って左右に分割形成された分割筒体２１ａ，２１ａにより構成されてなる（図４参照）。
【００１７】
前記嵌合筒部２２は、縦樋管９の下端部９ｂに外嵌されて該縦樋管９の軸線方向に沿って取り付けられると共に、前記交換用ストレーナ６に連結された状態で該交換用ストレーナ６の上方に所定長さで突出するように形成されている。さらに、嵌合筒部２２の内周面には、該内周面から内方へ突出する複数の止水凸条３１が上下方向に適宜の間隔をおいて複数周成されている（図５参照）。また、前記挿入筒部２３は、交換用ストレーナ６の上部開口１５を介して該交換用ストレーナ６の内部に挿入されるものであり、下端に前記排水管部４の下部開口径より径小な導出口２６が開口されている（図３，１０参照）。また、前記鍔部２４は、交換用ストレーナ６の上部開口１５の内径に比して大きい円環状に形成されていることから、該上部開口１５に挿通できずに該上部開口１５の口縁部１６に乗載される。このように鍔部２４が交換用ストレーナ６の上部開口１５の口縁部１６に乗載されることによって、筒状介装体２１の高さ位置が決まる。そして、前記挿入筒部２３は、鍔部２４が交換用ストレーナ６の上部開口１５の口縁部１６に乗載された状態で、導出口２６が前記ドレン受皿３の内底面から所定間隔をおいた高さ位置となるように、高さ寸法が設定されている。すなわち、筒状介装体２１は、その挿入筒部２３が交換用ストレーナ６の上部開口１５に上方から挿通されて該交換用ストレーナ６の内部に嵌挿されると共に、該挿入筒部２３の導出口２６を、排水管部４の上部開口縁との間に所定の間隙を生ずるように近接させて臨ませ、かつ該導出口２６から排出される直下水流と排水管部４の内周壁との間に間隙が形成されるように、ドレン受皿３の直上に配される。
【００１８】
こうした筒状介装体２１は、図４に示すように、中心軸線に沿って左右に二分割した分割筒体２１ａ，２１ａにより構成されている。各分割筒体２１ａ，２１ａには、嵌合筒部２２を構成する部位における分割面の外側に、組付用ボルト２９の挿通孔２８を備えた一対のフランジ部２７，２７が外方に突設されている。さらに、各分割筒体２１ａ，２１ａの分割面には、該分割筒体２１ａ，２１ａを突き合わせた状態で互いに嵌合される凸条と溝とが上下方向に沿って形成されている（図示せず）。この凸条と溝との相互嵌合により、両分割筒体２１ａ，２１ａを位置ずれが生ずること無く突き合わせることができる。左右の分割筒体２１ａ，２１ａを突き合わせた状態における嵌合筒部２２の内径は前記縦樋管９の外径に略一致するように設定されており、これによって、嵌合筒部２２を縦樋管９の下端部９ｂに対して略密嵌状に外嵌できるようになっている。こうした左右の分割筒体２１ａ，２１ａは、夫々の分割面を突き合わせて、左右で対向するフランジ部２７，２７の各挿通孔２８，２８に組付用ボルト２９を挿通し、該組付用ボルト２９に螺合されるナットの緊締作用を介して一体的に組み付けられる。このように左右の分割筒体２１ａ，２１ａを組み付けることにより、前記した筒状介装体２１が形成される。
【００１９】
尚、筒状介装体２１は、硬質合成樹脂製またはアルミダイカスト製である。ここで、筒状介装体２１を硬質合成樹脂製とする場合には、強度、耐候性、および耐久性に優れたポリプロピレン樹脂、塩化ビニル樹脂などが適用できる。環境問題の観点から前記ポリプロピレン樹脂製とすることが好適である。
【００２０】
また、筒状介装体２１と交換用ストレーナ６とは、前記した係合部材４１により係合される。この係合部材４１は、図６に示すように、金属製の矩形状平板を折り曲げた略Ｌ形状に形成されてなり、前記筒状介装体２１の鍔部２４の上面に係止されるフック部４２と、該フック部４２の一側縁から下方へ延成された固定片部４３とにより構成される。この固定片部４３には、取付螺子４７を挿通するための長孔４４が開口形成されており、前記交換用ストレーナ６の側面部には、該長孔４４を挿通した取付螺子４７が螺合される螺子孔４８が設けられている（図５参照）。係合部材４１は、そのフック部４２を、交換用ストレーナ６の上部開口１５の口縁部１６に乗載された筒状介装体２１の鍔部２４に掛けた状態で、固定片部４３を挿通させた前記取付螺子４７を該交換用ストレーナ６の螺子孔４８に螺合することにより、該取付螺子４７の緊締作用を介して前記フック部４２を前記鍔部２４に係止させる。こうした係合部材４１を、交換用ストレーナ６の周方向に複数配設することによって、該交換用ストレーナ６と筒状介装体２１とを係合して一体的に連結できる（図１，２参照）。尚、取付螺子４７が、本考案にかかる螺子である。
【００２１】
本実施例の交換装置１は、筒状介装体２１が縦樋管９の下端部９ｂに外嵌固定されると共に、当該筒状介装体２１と、ドレン受皿３上に載置した交換用ストレーナ６とが、係合部材４１により一体的に連結されるものであり、後述のように、既存の中継用ドレン装置を構成するストレーナの交換に用いられる。そして、この交換装置１が取り付けられた中継用ドレン装置では、縦樋管９の下端の開口部が、筒状介装体２１の導出口２６を介して排水管部４に臨むように配設される。
【００２２】
次に、本実施例の交換装置１により、前述した従来構成の中継用ドレン装置（図１１参照）のストレーナを交換する交換作業（改修作業）について、以下に説明する。ここで、従来構成は、図７に示すように、ストレーナｅ内に縦樋管９の下端部９ｂが挿入された状態で、螺子ｈにより該ストレーナｅと縦樋管９とが連結されている。そして、ストレーナｅは、螺子ｊによりドレン受皿３に固定されている。
【００２３】
本実施例の交換装置１を用いた交換作業では、図７に示すように、従来構成のストレーナが連結された縦樋管９を、ストレーナｅの上端よりも上方位置で切断すると共に、該ストレーナｅとドレン受皿３とを固定する螺子ｊを解除する。この後に、ストレーナｅを取り除く。
【００２４】
ストレーナｅを取り除いた状態では、図８に示すように、前記縦樋管９の上端が上階のドレン受皿の排水管部４に嵌装され且つ該縦樋管９の下端が下階のドレン受皿３を臨む上方位置にある垂直状態で保たれる。ここで、既存の中継用ドレン装置は、その施工状態で、上下方向に一致する位置に配設されたドレン受皿３間に縦樋管９が垂直状態で差し渡されたものである。そのため、縦樋管９は、前記のように切断された後も、前記した垂直状態で保たれ得る。
【００２５】
この後、図９に示すように、ドレン受皿３上に、その排水管部４を覆うようにして前記の交換用ストレーナ６を乗載させ、該交換用ストレーナ６を、該ドレン受皿３と縦樋管９の下端との間に配する。ここで、縦樋管９の下端と交換用ストレーナ６の上端（上部開口１５の口縁部１６）との間には、前記した分割筒体２１ａ，２１ａの挿入筒部２３を該交換用ストレーナ６の上部開口１５に挿入させ得る適宜の間隙が形成される。
尚、本実施例の交換用ストレーナ６は、ドレン受皿３と螺合するための螺子孔を有せず、該ドレン受皿３に固定されないものである。そのため、交換用ストレーナ６は、従来構成のストレーナｅと異なるサイズや形態であっても、ドレン受皿３に乗載して配置できると共に、前記螺子ｊを螺合するドレン受皿３の螺子孔に腐食などの不具合があった場合でも、該ドレン受皿３に適正に乗載して配置できる。
【００２６】
このように交換用ストレーナ６を乗載した後に、図１０に示すように、前記分割筒体２１ａ，２１ａの挿入筒部２３を、ストレーナ６の上部開口１５に挿入させ、該分割筒体２１ａ，２１ａの分割面を縦樋管９の下端部９ｂの左右両側から突き合わせることによって、該分割筒体２１ａ，２１ａの嵌合筒部２２により縦樋管９の下端部９ｂを左右両側から挟む。ここで、筒状介装体２１は、左右の分割筒体２１ａ，２１ａに分割されていることから、ドレン受皿３に乗載された交換用ストレーナ６の上部開口１５に、挿入筒部２３を挿入して縦樋管９の下端部９ｂを挟むことができる。この後に、左右の分割筒体２１ａ，２１ａを、前記組付用ボルト２９によって一体的に組み付ける。これにより、筒状介装体２１の嵌合筒部２２が、交換用ストレーナ６の上方で縦樋管９の下端部９ｂに略密嵌状に外嵌されて該縦樋管９の下端部９ｂに固定されると共に、当該筒状介装体２１の鍔部２４が当該交換用ストレーナ６の上部開口１５の口縁部１６に乗載されて、当該筒状介装体２１の挿入筒部２３が当該交換用ストレーナ６の内部に挿入された状態となる。
【００２７】
このように嵌合筒部２２が縦樋管９の下端部９ｂに固定され且つ鍔部２４が交換用ストレーナ６の上部開口１５の口縁部１６に乗載された状態で、前記した係合部材４１によって、当該交換用ストレーナ６と筒状介装体２１とを係合させる。すなわち、係合部材４１のフック部４２を筒状介装体２１の鍔部２４の上面に係止させた状態で、該係合部材４１の固定片部４３を取付螺子４７により交換用ストレーナ６に締結させ、該取付螺子４７の緊締作用を介して該係合部材４１により交換用ストレーナ６を筒状介装体２１に一体的に連結させる（図１参照）。これにより、交換用ストレーナ６が、筒状介装体２１を介して縦樋管９に固定され、本実施例の交換装置１による交換が完了する。
【００２８】
尚ここで、既存の中継用ドレン装置は、一般的に元々の施工状態で、上下方向に一致する位置に配設されたドレン受皿３間に縦樋管９が垂直状態で差し渡されたものである。そのため、本実施例の交換装置１による交換作業が行われた中継用ドレン装置は、前記垂直状態の縦樋管９の下端部９ｂに、ドレン受皿３に乗載された交換用ストレーナ６が筒状介装体２１を介して一体的に連結されて、該縦樋管９の下端開口と略同心状に配設された該筒状介装体２１の導出口２６が、下階の排水管部４を臨む直上位置に所定間隙をおいて配置された構造となる。かかる構成は、縦樋管９を流下する雨水を排水管部４へ流すことができると共に、床Ｆ上から交換用ストレーナ６内に流入する雨水を排水管部４へ円滑に排水させることができる。
【００２９】
このように本構成の交換装置１によれば、建物に長年配設された中継用ドレンのストレーナを交換する作業を比較的容易かつ適正に行うことができる。そして、本構成は、交換用ストレーナ６を乗載可能なドレン受皿を備えたものであれば、様々な構造の中継用ドレン装置を前記交換の対象とすることが可能である。すなわち、施工時から経過した長い期間中にモデルチェンジしたもの、元々形状が異なるもの等に対しても、縦樋管９の切断位置やストレーナ６の乗載部位の形状などを調整することによって前記交換（改修）を行うことができる。このように本実施例の交換装置１は、極めて高い汎用性を有する。
【００３０】
本考案は、前述した実施例に限定されず、本考案の趣旨を逸脱しない範囲内で適宜変更することが可能である。
例えば、実施例では、筒状介装体２１が挿入筒部２３に鍔部２４を設けた構成であるが、これに限らず、嵌合筒部２２の下端に鍔部２４を設けた構成とすることもできる。
また、実施例では、交換用ストレーナ６の周方向に三個の係合部材４１を配設する構成としたが、これに限らず、係合部材４１の配設個数を適宜変更することが可能である。
【符号の説明】
【００３１】
１  交換装置（中継用ドレンの交換装置）
２  中継用ドレン
３  ドレン受皿
４  排水管部
６  交換用ストレーナ
９  縦樋管
１５  上部開口
２１  筒状介装体
２２  嵌合筒部
２３  挿入筒部
２４  鍔部
４１  係合部材
４２  フック部
４３  固定片部
４７  取付螺子（螺子）
【図１】
0003230958.tif 000003
【図２】
0003230958.tif 000004
【図３】
0003230958.tif 000005
【図４】
0003230958.tif 000006
【図５】
0003230958.tif 000007
【図６】
0003230958.tif 000008
【図７】
0003230958.tif 000009
【図８】
0003230958.tif 000010
【図９】
0003230958.tif 000011
【図１０】
0003230958.tif 000012
【図１１】
0003230958.tif 000013